(57)【要約】【課題】  二重書きされたエリア（ＢＣＡ）の情報を利用して、規格情報（ＢＣＡ情報）を確実に再生し利用する光ディスク装置を提供する。【解決手段】  光ディスクからの反射光を読取って読取信号を出力する検出部と、検出部からの読取信号をデコードするデコーダ部と、ディスク上の第１及び第２のエリアに記録された同一内容をもつ第１及び第２の規格情報を、読取信号から抽出する抽出部と、第１及び第２の規格情報を比較し、比較結果に基づいて規格情報を処理する処理部と、処理部で処理された規格情報に基づいて、検出部又はデコーダ部の制御を行なう制御部とをもつ光ディスク装置。【選択図】図１
2007035170.tif 000002
【特許請求の範囲】
【請求項１】
光ディスクからの反射光を読取って読取信号を出力する検出部と、
前記検出部からの前記読取信号をデコードするデコーダ部と、
前記光ディスク上の第１及び第２のエリアに記録された同一内容をもつ第１及び第２の規格情報を、前記読取信号から抽出する抽出部と、
前記第１及び第２の規格情報を比較し、比較結果に基づいて前記規格情報を処理する処理部と、
前記処理部で処理された前記規格情報に基づいて、前記検出部又は前記デコーダ部の制御を行なう制御部と、を具備することを特徴とする光ディスク装置。
【請求項２】
前記処理部は、前記第１及び第２の規格情報のデータ列につきエラーの有無を調べ、前記第１の規格情報のエラーのないデータ列と、前記第２の規格情報のエラーのないデータ列とを合成することを特徴とする請求項１記載の光ディスク装置。
【請求項３】
前記処理部は、前記第１及び第２の規格情報のデータ列につきエラーの有無を調べ、前記第１の規格情報と前記第２の規格情報からエラーのデータ列が少ないほうの規格情報を選択し、エラーを訂正処理することを特徴とする請求項１記載の光ディスク装置。
【請求項４】
前記検出部が照射するレーザ光の進行方向の順番に、前記光ディスク上にミラー領域と前記第１のエリアと前記第２のエリアとが形成されており、
前記処理部が前記第１及び第２の規格情報のデータ列につきエラーの有無を調べ、前記第１及び第２の規格情報の両方についてエラーがあると判断した場合、前記第２の規格情報のデータ列のエラーを訂正処理することを特徴とする請求項１記載の光ディスク装置。
【請求項５】
光ディスクからの反射光を読取って読取信号を出力し、
前記光ディスク上の第１及び第２のエリアに記録された同一内容をもつ第１及び第２の規格情報を、前記読取信号から抽出し、
前記第１及び第２の規格情報を比較し、比較結果に基づいて前記規格情報を処理し、
前記処理された前記規格情報に基づいて、前記光ディスクの読み取り及び前記読み取り信号のデコード処理を行って光ディスク上に格納された情報を再生することを特徴とする光ディスク再生方法。
【請求項６】
前記第１及び第２の規格情報のデータ列につきエラーの有無を調べ、前記第１の規格情報のエラーのないデータ列と、前記第２の規格情報のエラーのないデータ列とを合成することを特徴とする請求項５記載の光ディスク再生方法。
【請求項７】
前記第１及び第２の規格情報のデータ列につきエラーの有無を調べ、前記第１の規格情報と前記第２の規格情報からエラーのデータ列が少ないほうの規格情報を選択し、エラーを訂正処理することを特徴とする請求項５記載の光ディスク再生方法。
【請求項８】
前記光ディスクからの反射光の読み取りの際に照射するレーザ光の進行方向の順番に、前記光ディスク上にミラー領域と前記第１のエリアと前記第２のエリアとが形成されており、
前記第１及び第２の規格情報のデータ列につきエラーの有無を調べ、前記第１及び第２の規格情報の両方についてエラーがあると判断した場合、前記第２の規格情報のデータ列のエラーを訂正処理することを特徴とする請求項５記載の光ディスク再生方法。
【発明の詳細な説明】
【技術分野】
【０００１】
この発明は、光ディスク装置に関し、特に、ＢＣＡ情報の２重書きフォーマットの効率的なＢＣＡデコードを行なう光ディスク装置及び光ディスク再生方法に関する。
【背景技術】
【０００２】
従来の光ディスクである、例えば、ＤＶＤ（Digital versatile disk）では、通常のデータが記録される情報記録領域の内周側に１周に渡ってＢＣＡが配置されている。ＢＣＡには、ＤＶＤを再生するのに必要な、基本的な情報が記載されている。又、ＢＣＡは、光ヘッドの細かな位置調整をしなくても情報再生ができるように、トラック幅、ビット長共に、十分大きくなっている。
【０００３】
ＤＶＤ再生装置では、ＤＶＤが挿入されると、まず、ＤＶＤを所定の回転数で回転し、光ヘッドよりレーザを発光した後、ＢＣＡの記録半径位置に光ヘッドを移動し、記録層にフォーカスサーボをかける。続いて、ＢＣＡに記録された情報を再生する。ＢＣＡに記録された情報は、通常のデータを再生する際に利用される。
【０００４】
特許文献１は、ＤＶＤに対して、ＢＣＡ情報を高精度に読み出すべく、ＢＣＡ情報の先頭領域の検出について開示している。
【特許文献１】特開２００４−４７０５６公報。
【発明の開示】
【発明が解決しようとする課題】
【０００５】
しかし、この従来技術は、従来のＤＶＤのＢＣＡ情報に対して、その読出方法を述べるものであり、次世代のＨＤ  ＤＶＤ（High Density Digital Versatile Disk）に設けられる、信頼性を向上させるために採用されたＢＣＡ情報の二重書きフォーマットに対して、どのような効率的な読出方法があるかについては、何も書かれてはいないという問題がある。
【０００６】
本発明は、次世代のディスク（ＨＤ  ＤＶＤ）に設けられる複数のエリア（ＢＣＡ）の情報を利用して、規格情報（ＢＣＡ情報）を確実に再生し利用する光ディスク装置及び光ディスク再生方法を提供することを目的とする。
【課題を解決するための手段】
【０００７】
本発明の一実施形態は、光ディスクからの反射光を読取って読取信号を出力する検出部と、前記検出部からの前記読取信号をデコードするデコーダ部と、前記光ディスク上の第１及び第２のエリアに記録された同一内容をもつ第１及び第２のＢＣＡ情報を、前記読取信号から抽出する抽出部と、前記第１及び第２のＢＣＡ情報を比較し、比較結果に基づいて前記ＢＣＡ情報を処理する処理部と、前記処理部で処理された前記ＢＣＡ情報に基づいて、前記検出部又は前記デコーダ部の制御を行なう制御部と、を具備することを特徴とする光ディスク装置である。
【発明の効果】
【０００８】
複数のエリア（ＢＣＡ）の情報を利用して、ＢＣＡ情報を確実に再生し利用する光ディスク装置を提供する。
【発明を実施するための最良の形態】
【０００９】
以下、この発明の実施の形態について図面を参照して詳細に説明する。  
図１は、本発明の一実施形態に係る光ディスク装置の構成の一例を示すブロック図、図２は、本発明の一実施形態に係る光ディスク装置が扱うＢＣＡの一例を示す説明図、図３は、本発明の一実施形態に係る光ディスク装置のＢＣＡ処理の一例を示すフローチャート、図４は、本発明の一実施形態に係る光ディスク装置のＢＣＡ処理の他の一例を示すフローチャートである。
【００１０】
＜本発明の一実施形態に係る光ディスク装置＞
（構成）
初めに、本発明の一実施形態に係る光ディスク装置の構成について、図面を用いて詳細に説明する。本発明の一実施形態に係る光ディスク装置１は、図１において、光ディスクＤを所望の回転数で回転するサーボモータ１１と、光ディスクＤからのレーザ光の反射光を読み出して読取信号を増幅するアナログアンプ１４と、アナログアンプからの増幅信号を二値化処理及び誤り訂正を行い、再生信号を出力するデコーダ部１６と、デコーダ部からの再生信号を出力するＩ／Ｆ部１７とを有する。更に、本発明の一実施形態に係る光ディスク装置１は、アナログアンプ１４からの増幅信号を受けてＢＣＡ情報を読み出すＢＣＡリード回路１５と、ＢＣＡエラー訂正回路１８と、その出力を受けるメモリ制御部２３と、これに接続されるメモリ部２４と、全体の動作を制御するべく各部に接続されている制御部２５とを有している。
【００１１】
（バーストカッティングエリア（ＢＣＡ））
次に、本発明の一実施形態に係る光ディスク装置１が読み出そうとする、ＨＤ  ＤＶＤ等のバーストカッティングエリアについて、図２及び図３を用いて詳細に説明する。
【００１２】
すなわち、ＢＣＡのデータ構造は、図２に示すように、２つのサブデータユニットＡ，Ｂ（サブデータ構造と称してもよい）と、それらを連結する連結コードとから成る。
【００１３】
又、サブデータユニットＡ，Ｂは、図３に示すように、光ディスクＤ上の形成順序として、レーザ光の進行方向を示す矢印に沿って、ミラー領域ｍと、第１のＢＣＡの領域Ａと、第２のＢＣＡの領域Ｂとが形成されている。
【００１４】
ここで、サブデータユニットＡ，Ｂは、情報の他、同期コード、プリアンブル、ポストアンブル、誤り検出用コード、誤り訂正用コードが含まれる。同期コードは、５バイト毎に位置する。又、同期コードは９種類あり、各々同期コード０乃至５と１３乃至１５と表記される。
【００１５】
これらの同期コードのビット列は、同期コード０が、サブデータユニットの先頭に位置し、これに続いて、プリアンブルが位置する。プリアンブルの内容は４バイトとも００（１６進数）である。情報及び誤り検出用コード１６バイト毎に、同期コード１乃至５が順次位置する。
【００１６】
すなわち、ＢＣＡの情報データは、図２に示すように、横方向４Byte、縦方向１９rowsの７６Byteを有し、その情報データには４Byteの誤り検出用コードＥＤＣ（Error Detecting Code）が付与されている（情報データ＋ＥＤＣをデータ部と呼ぶ）。又、この情報データは、信頼性を向上させるために同じデータが連結コード(Concatenation)を挟んで、付加されている。説明のために、図のように連結コードを挟んでＡ面・Ｂ面とする。
【００１７】
ここで、記録すべき情報が７６バイトよりも小さい場合は、残り全てのバイトに００（１６進数）が挿入され、見かけ上、１つのサブデータユニット上の情報は７６バイト（４バイト×１９行）に固定にしている。誤り訂正用コードの同期コードは、同期コード１３である。誤り訂正用コードに続いて、同期コード１４が位置し、続いてポストアンブルが位置する。ポストアンブルの内容は、４バイトとも５５（１６進数）である。サブデータユニットの最後は同期コード１５である。
【００１８】
２つのサブデータユニットＡ，Ｂ中の情報は同一であり、結果的に２つのサブデータユニットＡ，Ｂの内容は全て同一となる。
【００１９】
２つのサブデータユニットを連結する連結コードは、４バイトであり、内容は、ＡＡ（１６進数）である。連結コードが４バイトであることにより、データ構造全体で、同期コードが５バイト毎に位置している。
【００２０】
ここで、連結コードの内容は、プリアンブルやポストアンブルとは異なるものであれば良い。しかし、連結コードにＡＡ（１６進数）を選択することにより、ポストアンブルの内容５５（１６進数）との符号距離が最大となり、エラーが発生しにくくなる。つまり、５５（＝０１０１０１０１）に対してＡＡ（１０１０１０１０）の関係にあり、互いの数値は、“０”と“１”とが反転した符号に関係あるからである。
【００２１】
本実施形態では、サブデータユニットＡ，Ｂは２つとしたが、サブデータユニットは３つ以上であってもよい。しかし、サブデータユニットの数を増やす場合、ＢＣＡの大きさは予め決まっているので、１つのサブデータ中の情報の量を減らすこととなる。そのため、サブデータユニットの数は、２つが適当である。
【００２２】
又、本発明の光ディスクのＢＣＡのサブデータユニットは、基本的にＤＶＤのＢＣＡのデータ構造と一致させることが好適である。従って、従来のＤＶＤ用光ディスク装置でも、本発明の光ディスクの複数サブデータユニットの中の１つを再生することが可能である。
【００２３】
又、上記の説明では、２つのサブデータユニットの内容は、同じであるとしたが、異なる場合があってもよい。例えば、コピープロテクションに関連するような重要な情報は、両方の領域に記録し、例えばディスクタイプなどの情報は、片方の領域に記録するようにしてもよい。
【００２４】
又、上記の説明では、２つのサブデータユニットを例としてあげたが、さらに数を増加してもよい。そして１つのサブデータユニット部に情報を格納できないときは、他のサブデータユニット部に、情報を分割して格納してもよい。又、例えば４つのサブデータユニットを設定し、そのうち、２つのサブデータユニットを第１組として使用し、残りの２つのサブデータユニットを第２の組として使用してもよい。
【００２５】
（動作）  
次に、本発明に係る一実施形態である光ディスク装置のＢＣＡ情報を読み出す読出処理を図４のフローチャートを用いて以下に詳細に説明する。初めに、本発明に係る光ディスク装置１においては、制御部２５の制御下において、光ディスクＤからピックアップ部ＰＵを用いて格納情報を読み取り、その読取信号をアナログアンプ１４により変換する。そして、ＢＣＡリード回路１５によりこの変換信号からＡ面及びＢ面のＢＣＡ情報を抽出する。
【００２６】
次に、抽出されたＡ面及びＢ面のＢＣＡの全データ（Ａ面及びＢ面）を、制御部２５の制御下においてメモリ制御部２３を介してメモリ部２４に格納する（ステップＳ１１）。そして、シンドローム計算部２１においてＡ面及びＢ面合わせて８行のシンドローム計算を行う（ステップＳ１２）。
【００２７】
ここで、Ａ面及びＢ面共に、シンドロームが全てＯＫであるかどうかが判断される（ステップＳ１３）。ＯＫであれば、ＯＫとなった面のＥＤＣ計算を行う（ステップＳ２６）。ここで、ＥＤＣ計算もＯＫとなれば（ステップＳ２７）、制御部２５は正常なＢＣＡ情報と判断し、ＢＣＡ情報から例えば、ディスクの種類や物理的な規格情報等を抽出し、制御部２５は、これに基づいてピックアップ部ＰＵ１３やデコーダ部１６の処理を行なう。
【００２８】
更に、ステップＳ１３において、Ａ面及びＢ面共にシンドロームが全てＯＫではないとすると、Ａ面又はＢ面の少なくとも一方はシンドロームが全てＯＫかどうかが問われる（ステップＳ１４）。ここで、Ａ面又はＢ面の少なくとも一方のシンドロームが全てＯＫであれば、同様に、ステップＳ２６以降の処理がなされる。
【００２９】
ここで、Ａ面又はＢ面の両方のシンドロームが全てＯＫでなければ、両面の同じデータ列でエラーがあるかどうかが問われる（ステップＳ１５）。そのようなエラーがなければ、各面のエラーなしデータ列を組み合わせて、エラーなしデータを再構築する（ステップＳ２３）。その後、再構築されたデータに対して、ＥＤＣ計算を行う（ステップＳ２４）。ここで、ＥＤＣ計算はＯＫであれば（ステップＳ２５）、制御部２５は、正常なＢＣＡ情報と判断し、ＢＣＡ情報から例えばディスク種類等の規格情報等を抽出し、これに基づいてピックアップ部ＰＵ１３やデコーダ部１６の処理を行なう。
【００３０】
すなわち、ここでは、２つの訂正面（Ａ面とＢ面等）の両面にエラーが存在し、かつ両面のエラーデータ列（シンドローム値で判断）の位置が異なる場合は、両面のエラーのないデータ列の情報を組み合わせてデータを再構築することで、訂正実行処理を省略することが可能になるものである。
【００３１】
ステップＳ１５において、両面の同じデータ列でエラーがなければ、Ａ面のエラーデータ列数＜Ｂ面のエラーデータ列数であるかが問われ（ステップＳ１６）、更に、Ａ面のエラーデータ列数＝Ｂ面のエラーデータ列数であるかが問われる（ステップＳ１７）。ここで、Ａ面のエラーデータ列数がＢ面より多ければＢ面の訂正処理が行なわれ、又、Ａ面のエラーデータ列数がＢ面より多くなくとも、Ａ面のエラーデータ列数がＢ面のそれと同一であれば、Ｂ面の訂正処理が行なわれる（ステップＳ３１）。
【００３２】
すなわち、ＡＢ面を判定するＡＢ面判断回路１９を用いてＡ面・Ｂ面を識別し、Ａ面・Ｂ面のエラーデータ列数が同じ場合は、直流変動の影響の少ないＢ面側から訂正実行処理を行うものである。これは、図３に示すように、ミラー領域ｍとＢＣＡのＡ面と、ＢＣＡのＢ面とが、レーザ光の進行方向の順に並んでおり、ミラー領域ｍの直後であるＡ面のＢＣＡでは直流変動の影響が大きい。相対的に、Ｂ面のＢＣＡはＡ面の後であるので直流変動の影響は比較的小さいこととなる。これにより、直流変動の小さいＢ面にて訂正処理を行なった方が、処理時間・消費電力の短縮が見込めるものである。
【００３３】
・ＡＢ面判断回路１９
ここで、ＡＢ面判断回路１９の動作を説明する。図１に示すＡＢ面判断回路１９は、ＢＣＡリード回路１５からＢＣＡ情報を受け取り、以下のように判断する。
【００３４】
すなわち、連結コード（Concatenation）を利用した判定とは、
連結コード（Concatenation）（ＡＡｈ）の到来より前にポストアンブル（Postamble）（５５h）が検出された場合は、Ａ面であり、連結コード（Concatenation）（ＡＡｈ）の到来より後にポストアンブル（Postamble）（５５h）が検出された場合は、Ｂ面である。
【００３５】
又、ミラー部ｍを検出して判定する方法とは、ＨＤ  ＤＶＤのＢＣＡではＢＣＡのミラー部が存在しており、ミラー部分ｍを検出した後にデータが到来した場合は、そのデータは、Ａ面であると判断するものである。
【００３６】
又、先のステップＳ１６において、Ａ面のエラーデータ列数がＢ面のエラーデータ列数よりも多くなく、ステップＳ１７において、Ａ面のエラーデータ列数がＢ面のエラーデータ列数と同一ではない時（つまり、Ａ面のエラーデータ列数がＢ面のエラーデータ列数より少ないとき）、Ａ面のエラー訂正処理を実行する（ステップＳ１８）。ここで、Ａ面の訂正処理がＯＫであれば（ステップＳ１８−２）、Ａ面のＥＤＣ計算を実行する（ステップＳ１９）。この状態で、Ａ面のＥＤＣはＯＫであれば（ステップＳ２０）、正常なＢＣＡ情報と判断し、ＢＣＡ情報から例えばディスク種類等の規格情報等を抽出し、これに基づいてピックアップ部ＰＵ１３やデコーダ部１６の処理を行なう。又、ステップＳ１８−２でＡ面の訂正処理に問題があれば、ステップＳ２１に飛んで、Ｂ面の訂正有無を問う。
【００３７】
ここで、ＥＤＣがＯＫでなければ（ステップＳ２０）、前回のＢ面の訂正実行をしたかどうかが問われ（ステップＳ２１）、Ｂ面の訂正実行をしていなければ、ステップＳ３１に飛んで、Ｂ面の訂正処理を実行する。前回はＢ面の訂正実行をしたとなれば、ＢＣＡの再リードを行なうかどうかが問われ（ステップＳ２２）、行なわないのであれば、読取不能等の表示を行なう等して（必ずしも行なわなくともよいが）、処理を終了する。ＢＣＡの再リードを行なうのであれば、サーボ調整を行なった（ステップＳ３６）後に、ステップＳ１１に飛び処理を反復する。なお、再リードする場合のサーボ調整とは、サーボのチルト調整、フォーカス調整、再シーク、光ディスクの回転数を変えるなど、サーボ状態を切り替え等である。
【００３８】
又、ステップＳ３１において、Ｂ面のエラー訂正を実行した後は、Ｂ面の訂正結果がＯＫかどうかが問われ（ステップＳ３２）、ＯＫでなければ、前回、Ａ面の訂正実行を行なったかが問われる（ステップＳ３３）。Ａ面の訂正実行を行なっていなければ、ステップＳ１８に飛んでＡ面の訂正処理以降の処理を行い、Ａ面の訂正実行を行なっていれば、ＢＣＡの再リード処理を行なうかどうかが問われる（ステップＳ２２）。
【００３９】
更に、ステップＳ３２において、Ｂ面の訂正結果がＯＫであれば、Ｂ面のＥＤＣ計算はＯＫかどうかが問われる（ステップＳ３４）。Ｂ面のＥＤＣ計算がＯＫでなければ（ステップＳ３５）、ＢＣＡの再リード処理を行なうかどうかが問われる（ステップＳ２２）。Ｂ面のＥＤＣ計算がＯＫであれば、正常なＢＣＡ情報と判断し、ＢＣＡ情報から例えばディスク種類等の規格情報等を抽出し、これに基づいてピックアップ部ＰＵ１３やデコーダ部１６の処理を行なう。
【００４０】
以上、図面を用いて詳細に説明したように、本発明に係る光ディスク装置においては、二重書きのＢＣＡ情報を十分に活用して訂正処理を効率的に行なうことで、動作安定性を向上させるものである。
【００４１】
すなわち、２つの訂正面（以下Ａ面又はＢ面）両面にエラーが存在し、かつ両面のエラーデータ列（シンドローム値で判断）の位置が異なる場合は、両面のエラーのないデータ列の情報を組み合わせてデータを再構築することで、訂正実行処理を省略することができ、処理時間・消費電力の短縮が見込める。
【００４２】
又、両面のエラーデータ列数を比較し、エラーデータ列数の少ない面から訂正処理を行うことで、処理時間・消費電力の短縮が見込める。
【００４３】
更に、ＡＢ面を判定するＡＢ面判断回路を有し、Ａ面・Ｂ面のエラーデータ列数が同じ場合は、直流変動の影響の少ないＢ面側から訂正実行処理を行うことで、処理時間・消費電力の短縮を可能とするものである。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４５】
【図１】本発明の一実施形態に係る光ディスク装置の構成の一例を示すブロック図。
【図２】本発明の一実施形態に係る光ディスク装置が扱うＢＣＡの一例を示す説明図。
【図３】本発明の一実施形態に係る光ディスク装置のＢＣＡ処理の一例を示すフローチャート。
【図４】本発明の一実施形態に係る光ディスク装置のＢＣＡ処理の他の一例を示すフローチャート。
【符号の説明】
【００４６】
Ｄ…光ディスク、１１…モータ、１２…サーボ回路、１３…ピックアップユニット、１４…アナログアンプ、１５…ＢＣＡリード回路、１６…デコーダ部、１７…Ｉ／Ｆ部、１８…ＢＣＡエラー訂正回路、１９…ＡＢ面判断回路、２０…格納バッファ群、２１…シンドローム計算部、２２…訂正実行処理部、２３…メモリ制御部、２４…メモリ部、２５…制御部。
【図１】
2007035170.tif 000003
【図２】
2007035170.tif 000004
【図３】
2007035170.tif 000005
【図４】
2007035170.tif 000006